(57)【要約】【課題】折板屋根１０への断熱材などの板状体４０の取付強度を高める。【解決手段】折板１１をハゼ１２締めにより連結した折板屋根１０上面に固定具２０を介して断熱材などの板状体４０を敷設した折板屋根構造である。固定具２０は、板状体４０が載置された平板部２１と、その平板部２１両端から下方に延びて上記ハゼ１２の首部１２ａに嵌まり込む脚２２ａ、２２ｂとから成る。その固定具２０の脚２２ａ、２２ｂに外側からねじ通されて首部１２ａ下部に至る止めねじが設けられて、そのねじにより脚２２ａ、２２ｂの上方への首部１２ａからの抜け止めがなされる。このようにすれば、脚２２ａ、２２ｂの係止に加え、ねじ２３ａ、２３ｂの係止も加わるため、固定具２０とハゼ１２の係合度合は高まり、確実な抜け止めがなされる。【選択図】  図２
2004218291.tif 000002
【特許請求の範囲】
【請求項１】
折板１１をハゼ１２締めにより連結した折板屋根１０上面に固定具２０を介して断熱材などの板状体４０を敷設した折板屋根構造において、
上記固定具２０は、上記板状体４０が載置された平板部２１と、その平板部２１両端から下方に延びて上記ハゼ１２の首部１２ａに嵌まり込む脚２２ａ、２２ｂとから成り、
その固定具２０の脚２２ａ、２２ｂに外側からねじ通されて首部１２ａ下部に至る止めねじが設けられて、そのねじにより脚２２ａ、２２ｂの上方への首部１２ａからの抜け止めがなされていることを特徴とする折板屋根構造。
【請求項２】
上記止めねじ２３ａ、２３ｂは、固定具の両脚２２ａ、２２ｂに設けられていることを特徴とする請求項１に記載の折板屋根構造。
【請求項３】
折板１１をハゼ締めにより連結した折板屋根１０上に固定具２０を介して断熱材などの板状体４０を敷設した屋根構造において、
上記固定具２０は、ハゼ１２の首部１２ａの両側からその首部１２ａを挟持する一対の挟持片２５、２６から成り、その一方の挟持片２５は、上記板状体４０が載置された平板部２１の一端に下方に延びて前記ハゼ１２の首部１２ａに当てられる脚２２ａを有すると共に平板部２１の他端に同じく下方に延びる締結片２８を有するものであり、  他方の挟持片２６は、前記ハゼ１２の首部１２ａに当てられる脚２２ｂから横方向に延びた後、前記締結片２８の手前で立ち上がった当て片２９を有するものであり、
上記一方の挟持片２５の締結片２８に横方向のねじ３０をねじ通して上記他方の挟持片２６の当て片２９に当接させ、そのねじ３０のねじ込みにより、  両挟持片２５、２６の脚２２ａ、２２ｂを近づけて上記首部１２ａを挟持して、上記固定具２０をハゼ１２に取付けたことを特徴とする屋根構造。
【請求項４】
上記他方の挟持片２６に、上記ねじ３０が貫通する案内片２７を上記当て片２９の外側に位置するように設けたことを特徴とする請求項３に記載の屋根構造。
【発明の詳細な説明】
【０００１】
【発明の属する技術分野】
この発明は、ハゼ締めにより折板を連結した折板屋根上に固定具を介して断熱材などの板状体を敷設した折板屋根構造に関するものである。
【０００２】
【従来の技術】
折板屋根は、その施工のし易さから、工場などの多くの建造物に採用されており、保温性、美観性などから、断熱材（板）、コンクリートパネル（コンパネ）などの板状体がその上面に敷設される。
【０００３】
その敷設時、固定具を介して板状体が屋根上にビス止めされ、その従来技術として、図１２に示すものがある。この技術は、折板１１をハゼ締め（ハゼ１２）により連結した折板屋根１０上に、固定具１３を介して板状体４０をビス１４により固定した構造である（例えば、特許文献１参照）。この構造は、下地の折板１１に孔を開けていない点で優れている。
【０００４】
【特許文献１】
特開２００１−２７１４５６号公報
【０００５】
【発明が解決しようとする課題】
しかし、従来の技術は、脚下端を首部１２ａに嵌めて係止しているだけであり、ハゼ１２は現場施工のため、その形状がバラバラであって、固定具１３の折板１１への取付強度に問題が生じ易い。特に、屋根１０は風雨に晒され、さまざまな力が加わり、また、板状体４０上は、防水シート５０の施工時などにおいて、人が歩くなどの荷重が加わる。このため、これらの力によって固定具１３が変形したり、動いて、脚１３ａと首部１２ａの係止が外れる場合がある。外れれば、板状体４０の支持がなくなり、板状体４０が屋根１０から剥れるなどの恐れが生じる。
【０００６】
この発明は、固定具とハゼの一体化を強固にすることを課題とする。
【０００７】
【課題を解決するための手段】
上記課題を達成するため、この発明は、ねじ締めによってハゼの首部と固定具の脚との係合度合を高めることとしたのである。ねじ締めは、弛まない限りにおいて強固に固定し得る。
【０００８】
具体的な一手段は、折板をハゼ締めにより連結した折板屋根上面に固定具を介して断熱材などの板状体を敷設した折板屋根構造において、前記固定具は、前記板状体が載置された平板部と、その平板部両端から下方に延びて上記ハゼの首部に嵌まり込む脚とから成り、その固定具の脚に外側からねじ通されて首部下部に至る止めねじが設けられて、そのねじにより脚の上方への首部からの抜け止めがなされている構成を採用し得る。
【０００９】
このようにすれば、脚の係止に加え、ねじの係止も加わるため、係合度合は高まり、確実な抜け止めがなされる。このため、上記止めねじは、固定具の両脚に設ければ、その効果を高めることができる。
【００１０】
また、他の具体的な手段としては、  ハゼ締めにより折板を連結した折板屋根上に固定具を介して断熱材などの板状体を敷設した屋根構造において、前記固定具は、ハゼの首部の両側からその首部を挟持する一対の挟持片から成り、その一方の挟持片は、上記板状体が載置された平板部の一端に下方に延びて前記ハゼの首部に当てられる脚を有すると共に平板部の他端に同じく下方に延びる締結片を有するものであり、  他方の挟持片は、前記ハゼの首部に当てられる脚から横方向に延びた後、前記締結片の手前で立ち上がった当て片を有するものであり、  前記一方の挟持片の締結片に横方向のねじをねじ通して前記他方の挟持片の当て片に当接させ、そのねじのねじ込みにより、  両挟持片の脚を近づけて上記首部を挟持して、前記固定具をハゼに取付ける構成を採用し得る。
【００１１】
このようにすれば、ねじ込みにより、  両脚を首部に確実かつ強固に係止させることができる。このため、係合度合は高まり、確実な抜け止めがなされる。この際、上記他方の挟持片に、上記ねじが貫通する案内片を上記当て片の外側に位置するように設ければ、ねじは締結片と案内片の２点で支持されるため、  そのねじ込みが安定し、  両脚の首部への当たりも確実となるとともに、ねじを介して両挟持片が連結されたものとなり、その挟持片の一方のみを紛失し難くなる。
【００１２】
【実施の形態】
この発明の一実施形態を図１乃至図３に示し、この実施形態も、従来と同様に、折板１１をハゼ締めにより連結した折板屋根１０上に固定具２０を介して断熱材などの板状体４０を設け、その上面に防水シート５０を敷設したものである。ハゼ１２には、図１２に示す、屋根フレーム５１及び吊子５２などから成る吊り具５３を適宜に設けることができる。
【００１３】
固定具２０は、ＳＵＳ製厚さ０．８ｍｍ程度の板状体から成り（例えば、平面視、横１１０ｍｍ、縦１００ｍｍ）、平板部２１の両端から脚２２が下方に延び、一方の脚２２ａは、鋭角に延びた後、下向きに屈曲し、さらに横方向外側に屈曲し、他方の脚２２ｂは、ほぼ直角に延びた後、横方向内側に屈曲し、さらに上向きに屈曲している。その両脚２２ａ、２２ｂの垂直部にねじ２３ａ、２３ｂがねじ込まれている。
【００１４】
この固定具２０は、図３（ａ）から（ｃ）に示すように、ハゼ１２に当てがった後（ａ）、当て木２４を介し矢印のごとく押し下げてハゼ１２に嵌め込んで取付ける（ｂ→ｃ）。このとき、一方のねじ２３ａはある程度突出した状態とし、脚２２ａ、２２ｂがハゼ１２の首部１２ａに嵌まった後、他方のねじ２３ｂをねじ込んで抜け止めして、固定具２０をハゼ１２にしっかり固定する。
【００１５】
図４乃至図９に他の実施形態を示し、この実施形態は上述の固定具２０が、ハゼ１２の首部１２ａの両側からその首部１２ａを挟持する一対の挟持片２５、２６、及び案内片２７から成る。その一方の挟持片２５は、上記板状体４０が載置された平板部２１の一端に下方に延びて前記ハゼ１２の首部１２ａに当てられる脚２２ａを有すると共に平板部２１の他端に同じく下方に延びる締結片２８を有する。他方の挟持片２６は、前記ハゼ１２の首部１２ａに当てられる脚２２ｂから横方向に延びた後、前記締結片２８の手前で立ち上がった当て片２９を有する。案内片２７は、Ｌ字状をして、その下片が他方の挟持片２６の当て片２９の基部の孔２６ａから挿入されて切り起し片２６ｂに当接して、他方の挟持片２６に連結される。一方の挟持片２５の締結片２８と案内片２７の立片にはバーリング加工により同一軸上の孔２８ａ、２７ａが形成され、その締結片２８側の孔２８ａ内面にはねじがきられており、ねじ３０を孔２８ａにねじ通すとともに案内片２７の孔２７ａにも通す。
【００１６】
この固定具２０は、図６（ａ）から（ｂ）に示すように、ハゼ１２に臨ませて（同ａ）、一方の挟持片２５の脚２２ａをハゼ１２に当てがった後（同ｂ）、ねじ３０を回すと、そのねじ３０の先端が当て片２９に当接した後、他方の挟持片２６を矢印のごとく押して、その脚２２ｂをハゼ１２に押圧し、この両挟持片２５、２６の脚２２ａ、２２ｂでハゼ１２をしっかり固定する（同ｃ）。このとき、ねじ３０の先端にはＥリングなどの抜け止め具３１を嵌めるとよい。
【００１７】
図７乃至図９に示す実施形態は、図６の実施形態において、案内片２７を他方の挟持片２６の当て片２９に連接したものであり、図９（ａ）〜（ｃ）に示すように、前述の実施形態と同様にしてこの固定具２０もハゼ１２に固定する。
【００１８】
これらの固定具２０の取付位置は、例えば、図１に示すように、１つおきのハゼ１２の長さ方向５０ｃｍ間隔とする。その取付間隔及びハゼ間隔は任意である。固定具２０を所要位置に取付けた後、板状体（断熱材）４０をその端が固定具２０上面になるように載置し、鉄製ディスク板４１を介してセルフドリルアンカー（ビス）４２をねじ込んで止める。このとき、板状体４０の一端はハゼ１２によってその全長が支持される。ディスク板４１を介して電磁誘導加熱により、防水シート５０を板状体４０全面に敷設する。
【００１９】
これらの実施形態では、固定具２０の平板部２１は板状体４０下面及びハゼ１２上端に圧接している。このため、固定具２０の平板部２１を介して板状体４０の荷重がハゼ１２部分に直接に加わるため、固定具２０に厚手のものを使用する必要はない。また、ハゼ１２部分で支えることは固定具２０をハゼ１２全長に亘って設ける必要もなくなり、さらに、全てのハゼ１２に固定具２０を取付ける必要もなくなる（図１参照）。
【００２０】
これらの実施形態のように、ハゼ１２部分で直接に荷重を受けない図１２の構造においても、図１０に示すように、ねじ２３ａ、２３ｂを設けて、この発明を採用したり、図４、図７の発明を採用し得る。また、図１１に示すように、両ねじ２３ａ、２３ｂを固定具２０のハゼ１２への嵌め込み後にねじ込み得る構成とし得る。さらに、ねじ２３ａ、２３ｂは一方のみでもよい。
【００２１】
【発明の効果】
この発明は、以上のようにして、ねじにより、ハゼに固定具を確実に取付けるようにしたので、固定具がハゼに強固に取付けられて、屋根構造が強固となる。
【図面の簡単な説明】
【図１】一実施形態の概略斜視図
【図２】（ａ）は同要部平面図、（ｂ）は同要部切断正面図
【図３】同固定具の取付作用図
【図４】固定具の他例の斜視図
【図５】同分解斜視図
【図６】同取付作用図
【図７】固定具の他例の斜視図
【図８】同分解斜視図
【図９】同取付作用図
【図１０】他の実施形態の概略切断正面図
【図１１】他の実施形態の概略切断正面図
【図１２】従来例の概略切断正面図
【符号の説明】
１０  折板屋根
１１  折板
１２  ハゼ
１３、２０  固定具
２１  固定具の平板部
２２、２２ａ、２２ｂ  固定具の脚
２３ａ、２３ｂ  ねじ
２５  一方の挟持片
２６  他方の挟持片
２７  案内片
２７ａ  案内孔
２８  締結片
２８ａ  ねじ孔
２９  当て片
３０  ねじ
３１  抜け止め具
４０  板状体（断熱材）
４２  セルフドリルアンカー（ビス）
５０  防水シート
【図１】
2004218291.tif 000003
【図２】
2004218291.tif 000004
【図３】
2004218291.tif 000005
【図４】
2004218291.tif 000006
【図５】
2004218291.tif 000007
【図６】
2004218291.tif 000008
【図７】
2004218291.tif 000009
【図８】
2004218291.tif 000010
【図９】
2004218291.tif 000011
【図１０】
2004218291.tif 000012
【図１１】
2004218291.tif 000013
【図１２】
2004218291.tif 000014